(57)【要約】【課題】簡単に取り外すことができ、不注意やいたずらによる切断のおそれが少なく、強く引っ張られると確実に切断されるリストバンドを提案すること。【解決手段】リストバンド１は所定長さの帯状に形成され、その一端側および他端側に、複数の係止穴２が並んだベルト部３、４が形成されている。患者に巻き付けたときに内周側となるベルト部３には２つの係止穴２Ａ、２Ｂが形成されている。ベルト部３の先端から遠い側の係止穴２Ｂは他の係止穴２Ａよりも幅広の長穴であり、この係止穴２Ｂの形状により、リストバンド１の切断荷重が規定されている。係止穴２Ｂの代わりに、ベルト部３の幅方向に切り込んだ切り込み部１３が形成された係止穴１２Ｂ、あるいは、頂点がベルト部３の幅方向を向いている入隅状の角部２３を有する係止穴２２Ｂを形成してもよい。【選択図】図１
2012058496.tif 000002
【特許請求の範囲】
【請求項１】
帯状に形成され、長手方向の一端側を他端側に係止して環状にした状態で使用するリストバンドであって、
前記一端側および他端側の少なくとも一方の端部に、所定形状の係止穴が形成されたベルト部が設けられ、
前記リストバンドの前記環状になった部分における最も切断荷重の小さい部位が、前記ベルト部における前記所定形状の係止穴が形成された部位であることを特徴とするリストバンド。
【請求項２】
請求項１において、
前記所定形状の係止穴は、下記の（１）〜（３）のいずれかの穴形状であることを特徴とするリストバンド。
（１）前記リストバンドを幅方向に切断した場合の断面積が、前記所定形状の係止穴の形成位置において最も小さい穴形状
（２）前記係止穴の縁に、前記ベルト部の幅方向に切り込んだ切り込み部が形成されている穴形状
（３）頂点が前記ベルト部の幅方向を向いている入隅状の角部を有する穴形状
【請求項３】
請求項１または２において、
前記ベルト部には、前記長手方向に配列された複数の係止穴が形成されており、
当該複数の係止穴のうち、前記ベルト部の先端から最も離れた位置にある係止穴が、前記所定形状の係止穴であることを特徴とするリストバンド。
【請求項４】
請求項１ないし３のいずれかの項において、
前記長手方向の一端側および他端側の各端部のうち、前記ベルト部が形成された側の端部が他方の端部の内周側となるように両端部を重ね合わせた状態で、当該両端部が係止されるように構成されると共に、
前記他方の端部によって外周側が覆われる前記ベルト部の部位に、前記所定形状の係止穴が配置されていることを特徴とするリストバンド。
【請求項５】
請求項１ないし４のいずれかの項において、
前記係止穴に通すためのピンが設けられた係止具により、前記一端側を他端側に係止するように構成されており、
前記ピンの断面形状は、
前記所定形状の係止穴に対応する断面形状、あるいは、前記係止具による係止部位を前記長手方向に引っ張った場合に、前記係止穴の縁の一部に集中的に力がかかる断面形状であることを特徴とするリストバンド。
【発明の詳細な説明】
【技術分野】
【０００１】
本発明は、人間の四肢、例えば、手首などに環状に巻き付けて使用され、不要になったら切断して取り外すことが可能なリストバンドに関する。
【背景技術】
【０００２】
従来から、病院などにおいて、患者の診療科、氏名、年齢、血液型などの個人情報を印刷などによって表示したリストバンドを患者に装着させて、患者の特定を確実にすることが行われている。また、各種の施設利用者や、イベントやレジャーなどの参加者に対して、必要な情報を印刷したリストバンドを装着させて、利用者情報やイベントへの参加に必要な情報などを特定可能にすることが行われている。この種のリストバンドは、装着者の四肢（例えば、手首や足首など）に環状にゆるく巻きつけて用いられ、一度取り付けた後は、意図的に切断するなどの行為がない限り、外れる可能性が低いものとなっている。不要になったリストバンドは、従来は、鋏やカッターなどの切断具を用いないと切断することができず、取り外し作業が面倒であった。
【０００３】
特許文献１には、患者の手首や足首に環状に巻き付けて使用するリストバンドが開示されている。このリストバンドは、不要になった場合に手で簡単に切断することができるように、患者情報などを表示する表示部と固定用のクリップ穴との間に、山形の切り離し用切断線が形成されている。この切り離し用切断線は、リストバンドの幅方向中央部の部分が小さな山形の全切断線となっており、この全切断線の両端からリストバンドの側端までがミシン目状となっている。山形の全切断線に囲まれた部分は手でつまみ上げることが可能であり、摘み部として機能する。そこで、この摘み部をつまみ上げて引っ張ると、ミシン目に沿ってリストバンドが切断される。よって、鋏やカッターなどの切断用具を用いることなく、容易にリストバンドを切断することができる。
【先行技術文献】
【特許文献】
【０００４】
【特許文献１】特開２００４−１９７２６６号公報
【発明の概要】
【発明が解決しようとする課題】
【０００５】
特許文献１のリストバンドに設けられた切り離し用切断線は、リストバンドを患者の手や足に取り付けた状態において、表示部の隣に山形の全切断線（摘み部）が露出した状態となっている。従って、いたずらや不注意によって摘み部が引っ張られやすく、切断すべきでない状況でリストバンドが切断されるおそれがある。特に、リストバンドは湾曲状に巻いて使用されるため、山形の切り込み部がリストバンドの表面から立ち上がった状態になりやすい。従って、摘み部が注意を引いてしまい、いたずらや不注意による切断を誘発しやすいという問題点がある。
【０００６】
また、特許文献１の切り離し用切断線は、摘み部を逆向きに引っ張った場合には簡単に切断できるものの、単にリストバンドが強い力で引っ張られた程度では簡単には切断されない。すなわち、特許文献１では、何らかのアクシデントなどでリストバンドが引っ張られたときに、簡単にリストバンドが外れるようには構成されていない。
【０００７】
本発明の課題は、このような点に鑑みて、人間の四肢などに巻き付けて装着し、不要になったら切断して取り外すリストバンドにおいて、取り外す際に手で簡単に切断することができ、且つ、いたずらや不注意により切断されるおそれが少なく、更に、アクシデントなどでリストバンドが強く引っ張られたときに確実に切断されて外れるように構成されたリストバンドを提案することにある。
【課題を解決するための手段】
【０００８】
上記の課題を解決するために、本発明は、帯状に形成され、長手方向の一端側を他端側に係止して環状にした状態で使用するリストバンドであって、
前記一端側および他端側の少なくとも一方の端部に、所定形状の係止穴が形成されたベルト部が設けられ、
前記リストバンドの前記環状になった部分における最も切断荷重の小さい部位が、前記ベルト部における前記所定形状の係止穴が形成された部位であることを特徴としている。
【０００９】
本発明は、このように、リストバンドの環状になる部分に切断荷重が小さい部位を設けている。このため、使用後に取り外す際に、切断用具などを用いることなく、引っ張るだけで簡単にリストバンドを切断できる。また、切断荷重を適切に設定することにより、アクシデント等によって引っ張られた場合に、確実にリストバンドが切れて外れるように構成することができる。加えて、リストバンドを環状にするために通常設けられている係止穴を切断部（切断荷重が小さい部位）として兼用しているため、別途切断部を設ける必要がない。また、係止穴を切断部として兼用しているため、切断部が使用者の注意を引き難い。また、切断部に引っ張るための摘み部などを設けていないため、引っ掛かりやすいなどの不都合もない。よって、いたずらや不注意による切断を誘発し難い。
【００１０】
本発明において、前記所定形状の係止穴は、その穴形状を、（１）前記リストバンドを幅方向に切断した場合の断面積が、前記所定形状の係止穴の形成位置において最も小さい穴形状、（２）前記係止穴の縁に、前記ベルト部の幅方向に切り込んだ切り込み部が形成されている穴形状、（３）頂点が前記ベルト部の幅方向を向いている入隅状の角部を有する穴形状、のいずれかとすることができる。（１）のように構成すると、係止穴の形成位置が、最も切断荷重の小さい部位となる。また、（２）（３）のような切り込み部や角部を形成すると、引っ張るだけで簡単に裂け目を形成できる。従って、引っ張るだけで簡単にベルト部を切断することができる。
【００１１】
また、本発明において、前記ベルト部には、前記長手方向に配列された複数の係止穴が形成されており、当該複数の係止穴のうち、前記ベルト部の先端から最も離れた位置にある係止穴を、他の係止穴よりもその形成部位の切断荷重が小さい前記所定形状の係止穴とすることが望ましい。このようにすると、どの係止穴を利用してリストバンドの端部を係止した場合においても、リストバンドの環状になった部位が、必ず、切断荷重の小さい部位を含むことになる。従って、引っ張るだけで簡単にリストバンドを切断できるように構成することができる。
【００１２】
ここで、前記長手方向の一端側および他端側の各端部のうち、前記ベルト部が形成された側の端部が他方の端部の内周側となるように両端部を重ね合わせた状態で、当該両端部が係止されるように構成されると共に、前記ベルト部における前記他方の端部によって外周側が覆われる部位に、前記所定形状の係止穴が配置されていることが望ましい。このようにすると、切断荷重の小さい部位（所定形状の係止穴）が外部から見えにくくなる。従って、いたずらなどによる切断を防止することができる。
【００１３】
また、この場合に、前記係止穴に通すためのピンが設けられた係止具により、前記一端側を他端側に係止するように構成されており、前記ピンの断面形状は、前記所定形状の係止穴に対応する断面形状、あるいは、前記係止具による係止部位を前記長手方向に引っ張った場合に、前記係止穴の縁の一部に集中的に力がかかる断面形状であることが望ましい。このようにすると、リストバンドを引っ張ることにより係止穴に切れ目が入りやすい。従って、簡単にリストバンドを切断できる。
【発明の効果】
【００１４】
本発明によれば、切断用具などを用いることなく、引っ張るだけで簡単にリストバンドを切断できる。また、切断荷重を適切に設定することにより、アクシデント等によって引っ張られた場合に、確実にリストバンドが切れて外れるように構成することができる。加えて、リストバンドを環状にするために通常設けられている係止穴を切断部（切断荷重が小さい部位）として兼用しているため、別途切断部を設ける必要がない。また、係止穴を切断部として兼用しているため、切断部が使用者の注意を引き難い。また、切断部に引っ張るための摘み部などを設けていないため、引っ掛かりやすいなどの不都合もない。よって、いたずらや不注意による切断を誘発し難い。
【図面の簡単な説明】
【００１５】
【図１】本発明にかかるリストバンドの説明図（平面図、部分断面図）である。
【図２】改変例の係止穴の説明図である。
【図３】改変例のピンの断面形状を示す説明図である。
【発明を実施するための形態】
【００１６】
以下に、図面を参照して、本発明を適用したリストバンドの実施の形態を説明する。
【００１７】
図１は本発明のリストバンドの説明図であり、図１（ａ）は取り付け前のリストバンドの平面図、図１（ｂ）はリストバンドの端部同士を係止した状態を示す部分断面図である。図１（ａ）に示すように、リストバンド１は、所定長さの帯状に形成されている。リストバンド１の一端側および他端側には、複数の係止穴２が所定間隔で配列されたベルト部３、４が形成されている。また、ベルト部３、４の間には、ベルト部３、４よりも幅広の表示部５が形成されている。表示部５の表面には、患者情報などを印刷可能な印刷領域６が設けられている。リストバンド１は、病院において、患者の手首や足首などに巻き付けて使用するのに適した素材で形成されている。
【００１８】
リストバンド１を患者の手足などに取り付けるときには、印刷領域６の面を外側にして患者の手足などに巻き付ける。そして、図１（ｂ）に示すように、両端のベルト部３、４を係止穴２同士が重なり合うように重ね合わせる。このとき、長さ調整用の多数の係止穴２が形成されている長い方のベルト部４が外周側となり、短い方のベルト部３が内周側となるように両ベルト部を重ね合わせる。そして、クリップなどの係止具７に形成された円形断面のピン８を重なり合った係止穴２に挿入することにより、ベルト部３、４を係止する。これにより、リストバンド１を環状の状態にすることができ、患者の手足などに簡単に外れないように取り付けることができる。
【００１９】
内周側となるベルト部３には、２つの係止穴２（２Ａ、２Ｂ）がリストバンドの長手方向に並んで形成されている。先端側の係止穴２Ａは、ピン８の断面形状よりもわずかに大きい程度の円形の穴である。一方、表示部５に近い側の係止穴２Ｂは、係止穴２Ａよりも横長に形成された長穴である。また、外周側となるベルト部４に形成されている係止穴は、全て、係止穴２Ａと同一寸法の小径の係止穴のみである。リストバンド１を取り付けるときには、重ね合わせる係止穴２（２Ａ、２Ｂ）を適切に選択することにより、リストバンド１の輪の大きさが所望の大きさとなるように調整する。なお、ベルト部３における係止穴２Ａ、２Ｂの配置間隔は、ベルト部４における係止穴２Ａの配置間隔の半分程度の寸法となっている。従って、ベルト部３における２つの係止穴の選択により、リストバンド１の輪の大きさの微調整が可能である。
【００２０】
ここで、リストバンド１を幅方向に切断したときの断面積が最も小さい部位は係止穴２Ｂの形成部位である。そして、係止穴２Ｂの穴形状は、係止穴２Ｂの形成位置におけるベルト部３の切断荷重が適切な大きさとなるように設定されている。例えば、ベルト部３の幅寸法Ｌ１から、ベルト部３の幅方向における係止穴２Ｂの穴径Ｌ２を引いた残り寸法が所定の寸法以下となるように穴径Ｌ２を決定する。これにより、ベルト部３をその長手方向に引っ張ったときの切断荷重が所定の大きさ以下となるように、ベルト部３を構成することができる。
【００２１】
また、係止穴２Ｂは、係止穴２Ａよりもベルト部３の先端から離れた位置に形成されている。このような構成では、係止穴２Ａ、２Ｂのどちらに係止具７を取り付けたとしても、リストバンド１における環状になった部分が、必ず、係止穴２Ｂの形成部位を含むことになる。そのため、リストバンド１の環状になった部分をその輪の大きさを拡げるように引っ張ると、必ず係止穴２Ｂの形成部位に引っ張り力がかかる。つまり、本実施形態では、リストバンド１の環状になった部分における最も切断荷重の小さい部位が係止穴２Ｂの形成部位となるように構成されている。従って、リストバンド１を取り外すときの切断荷重が、係止穴２Ｂの形成部位の切断荷重によって規定される。
【００２２】
以上のように、本実施形態では、係止穴２Ｂの形成部位におけるベルト部３の切断荷重が、手で引っ張って切断できる程度の大きさとなるように、係止穴２Ｂの穴径を設定している。従って、不要となったリストバンド１を取り外す場合には、リストバンド１の環状になった部分を手で引っ張るだけでリストバンド１を切断できる。よって、切断用具などを用いずに、容易にリストバンド１を取り外すことができる。また、何らかのアクシデントにより、患者の手足に取り付けられたリストバンドが強く引っ張られたときに、簡単にリストバンド１が切れて患者から外れる。従って、リストバンド１と共に患者まで引きずられてしまうなどの事態を防止できる。
【００２３】
また、本実施形態では、リストバンド１の切断荷重を決定することになる係止穴２Ｂの形成位置を、外周側に巻かれる長いベルト部４ではなく、内周側に巻かれる短いベルト部３としている。このようにすると、他の係止穴よりも穴径の大きい係止穴２Ｂがベルト部４によって覆われた状態でリストバンド１が使用される。従って、リストバンド１の使用中に穴径の大きい係止穴２Ｂが目立ってしまうことがない。また、係止穴２Ｂに異物が引っ掛かるおそれも少ない。よって、いたずらや不注意によってリストバンドが切断されにくい構成となっている。
【００２４】
（改変例）
（１）上記実施形態では、係止穴２Ｂをベルト部３の幅方向に延びる長穴とすることにより、係止穴２Ｂの形成部位における切断荷重を小さく設定しているが、係止穴２Ｂの穴形状を、長穴以外の他の穴形状にすることも可能である。図２は、改変例の係止穴の穴形状を示す説明図である。
【００２５】
図２（ａ）に示す係止穴１２Ｂは、係止穴２Ａと同一形状の円形の穴の縁に、ベルト部３の幅方向に切り込んだ切り込み部１３を２箇所形成したものである。このような穴形状では、ベルト部３が切り込み部１３を基点として幅方向に裂けやすくなっている。従って、ベルト部３を長手方向に引っ張ると、簡単に裂け目が形成されてベルト部３が切断される。切り込み部１３の形状は、図２（ａ）に示すような先端が尖った三角形の切り欠き形状でもよいし、係止穴１２Ｂの縁と交差する１本の切断ラインに沿って所定長さだけ切り込んだものであってもよい。
【００２６】
ここで、図２（ａ）では切り込み部１３が２箇所であったが、少なくとも１箇所切り込み部１３が設けられていればよい。係止穴１２Ｂの左右の部分のいずれか一方が切断されるだけでも、係止具を係止穴１２Ｂから外すことができる。また、係止穴１２Ｂの左右の部分のいずれか一方が切断されれば、残りの部分に大きな力が掛かるため、残りの部分も容易に切断される。よって、切り込み部１３が少なくとも１箇所あれば、リストバンド１を容易に切断して取り外すことができる。また、図２（ａ）では切り込み部１３がベルト部３の幅方向に横向きに延びているが、ベルト部３の左右の側端縁に対して傾斜しつつベルト部３の幅方向に延びる形状であってもよい。この場合にも、ベルト部３の側端縁に向かって裂け目が延びてゆくことには変わりがないため、ベルト部３を簡単に切断することができる。
【００２７】
次に、図２（ｂ）に示す係止穴２２Ｂは菱形状に形成されている。係止穴２２Ｂの左右の角部２３は入隅状の角部であり、その頂点はベルト部３の幅方向を向いている。このような穴形状にすると、角部２３の頂点を基点としてベルト部３に裂け目が形成されやすい。従って、ベルト部３を長手方向に引っ張るだけでベルト部３の幅方向に延びる裂け目を形成することができる。よって、簡単にベルト部３を切断することができる。
【００２８】
ここで、係止穴２２Ｂの形状は菱形に限定されず、頂点がベルト部３の幅方向を向いている入隅状の角部２３を有する各種の形状にすることができる。また、上記の係止穴１２Ｂの場合と同様に、このような角部２３が少なくとも１箇所設けられている穴形状であればよい。このような構成にすると、ベルト部３を引っ張るだけで、角部２３の頂点からベルト部３の側端縁に向かって延びる裂け目が少なくとも１箇所形成される。従って、係止具を係止穴１２Ｂから容易に外すことができ、リストバンド１を容易に切断することができる。
【００２９】
（２）上記実施形態では、ベルト部３に２つの係止穴２（２Ａ、２Ｂ）が形成されていたが、ベルト部３に係止穴２Ｂのみを形成してもよい。また、ベルト部３に３以上の係止穴を形成してもよい。この場合には、最もベルト部３の先端から離れた位置に形成されている係止穴を切断用の係止穴２Ｂの穴形状とし、他の係止穴を係止穴２Ａの穴形状とすることが望ましい。このようにすると、リストバンドの輪になった部分に、係止穴２Ｂによって切断荷重が規定されている部位、すなわち、最も切断荷重が小さい部位が確実に含まれる。よって、手で確実にリストバンド１を切断できる。なお、長さ調整用のベルト部４に形成した係止穴のうち、ベルト部４の先端から最も離れた位置にある係止穴を、係止穴２Ｂの穴形状にしてもよい。この構成では、係止穴２Ｂを覆って隠すことはできないものの、手で簡単に切断して取り外すことは可能である。
【００３０】
（３）上記各実施形態では、円形断面のピン８を用いてリストバンド１の端部を係止しているが、ピン８の断面形状を、切断荷重を規定している係止穴の形状に対応させるようにしてもよい。図３は改変例のピンの断面形状である。例えば、係止穴の穴形状を係止穴１２Ｂあるいは係止穴２２Ｂのような形状にして、これらの係止穴にピン８を挿通させて係止する場合には、ピン８の断面形状を、図３（ａ）（ｂ）に示すように、切り込み部１３の側に突出する突起９ａ、あるいは、角部２３の側に突出する角部９ｂを有する断面形状とする。このようにすると、リストバンド１を引っ張ったときに、より簡単に裂け目が形成される。したがって、より簡単にベルト部３を切断することができる。
【００３１】
また、ピン８の断面形状を、係止穴の縁の所定箇所に集中的に荷重がかかるような断面形状にしてもよい。例えば、環状になったリストバンド１を、その輪の大きさを拡げる方向に引っ張ったときには、係止穴の縁にピン８の外周面が押し付けられる。そこで、図３（ｃ）に示すように、この面に、先端が角部であるような断面形状の突起９ｃを形成しておく。このようにすると、係止穴の縁における突起９ｃの先端が押し付けられる部分に集中的に力がかかる。従って、係止穴の縁に簡単に裂け目が生じ、簡単にベルト部３を切断することができる。
【００３２】
（４）上記各実施形態では、リストバンド１の一端側と他端側の両方に係止穴２が形成されたベルト部３、４を形成し、これらを係止具７で係止する構成であったが、一定間隔で係止穴が配列されたベルト部を一端側の端部にのみ形成し、他方の端部には、ピン８を有する係止具７を一体形成した構成にしてもよい。この場合においても、ベルト部に形成された係止穴のうち、最もその先端から離れた位置に形成されている係止穴の穴形状を、上記の各係止穴２Ｂ、１２Ｂ、２２Ｂと同様に、リストバンド１の切断荷重を規定する穴形状とする。この構成では、係止具７のピン８をベルト部に設けられたいずれかの係止穴に係止して、リストバンド１を環状にすることができる。また、リストバンド１を手で引っ張るだけで簡単に切断して取り外すことができる。
【００３３】
（５）上記各実施形態は、１本のピン８のみでリストバンド１を環状に係止する構成であったが、２本のピンを２箇所の係止穴に同時に挿通する係止具を用いる構成に本発明を適用してもよい。２本のピンを用いる場合には、ピンが挿通された係止穴の形成部位にかかる力が１本のピンの場合とは異なる。そこで、この違いを考慮した上で、所望の切断荷重でリストバンドが切断されるように、係止穴の形状を決定すればよい。
【００３４】
（６）上記各実施形態は、患者の手や足につける医療用のリストバンドに本発明を適用したものであるが、スポーツ用、レジャー用、イベント用などの各種のリストバンドに本発明を適用することができる。また、子供用や大人用などの各種のサイズのリストバンドにも適用できる。この場合、切断荷重を用途に応じた大きさにすることが要求される。そこで、要求される切断荷重に応じて、切断荷重を規定する係止穴の大きさや形状を適切に設定すればよい。
【符号の説明】
【００３５】
１…リストバンド、２…係止穴、２Ａ…係止穴、２Ｂ…係止穴、３…ベルト部、４…ベルト部、５…表示部、６…印刷領域、７…係止具、８…ピン、９ａ…突起、９ｂ…角部、９ｃ…突起、１２Ｂ…係止穴、１３…切り込み部、２２Ｂ…係止穴、２３…角部、２３…頂点
【図１】
2012058496.tif 000003
【図２】
2012058496.tif 000004
【図３】
2012058496.tif 000005